(57)【要約】【課題】  直管形蛍光ランプ用個装ケースの組立て過程において、テープの貼り付けによる蛍光ランプのガラスバルブ壁面の汚れを抑制する。【解決手段】  本発明の直管形蛍光ランプ用個装ケース１は、蛍光ランプ２の全長に見合った帯状の片段ボール紙３を順次折曲し、この片段ボール紙３の一対の端縁４ａ、４ｂが互いに重ね合うように接着して直方体に形成されていることを特徴としている。このように形成されている直管形蛍光ランプ用個装ケース１においては、端縁４ａ、４ｂが互いに重ね合わせの構造になっているため、ランプバルブ壁面の汚れを抑制できる。【選択図】  図１
2005022751.tif 000002
【特許請求の範囲】
【請求項１】
蛍光ランプの全長に見合った帯状の片段ボール紙を順次折曲し、この片段ボール紙の一対の端縁が互いに重ね合うように接着して直方体に形成されていることを特徴とする直管形蛍光ランプ用個装ケース。
【請求項２】
前記端縁の重ね合わせ部分は、接着剤によって接着されていることを特徴とする請求項１記載の直管形蛍光ランプ用個装ケース。
【請求項３】
請求項１または２記載の直管形蛍光ランプ用個装ケースと；  
この直管形蛍光ランプ用個装ケース内に収容された直管形蛍光ランプと；  
を具備していることを特徴とする包装体。
【発明の詳細な説明】
【技術分野】
【０００１】
本発明は、片段ボール紙を折曲して形成した直管形蛍光ランプ用個装ケースに関する。
【背景技術】
【０００２】
この種の直管形蛍光ランプ用個装ケースとしては、例えば図５および図６に示すようなものが一般的に知られている。図５は斜視図、図６は拡大断面図である。図において、１０１は直管形蛍光ランプ用個装ケースとしてのコルゲートサック、１０２は蛍光ランプ、１０３は片段ボール紙、１０４ａおよび１０４ｂは端縁、１０５はテープである。蛍光ランプ１０２は、コルゲートサック１０１内に収納されている。コルゲートサック１０１は、片段ボール紙１０３を順次折曲して一対の端縁１０４ａおよび１０４ｂを突き合わせ、この端縁１０４ａおよび１０４ｂにテープ１０５を全長に渡り貼り付けることにより、直方体に形成にした構造となっている（例えば、特許文献１参照）。
【特許文献１】実開昭４９−１０６７８６号公報（第３図、第４図）
【発明の開示】
【発明が解決しようとする課題】
【０００３】
上記従来のコルゲートサックは、ケースを組立てる過程において、端縁部分を正確に突き合わせることは製造上困難であり、突き合わせが甘く隙間が生じることがあった。この隙間が生じた状態で全長に渡りテープを前記コルゲートサックに貼り付けるとテープの粘着面が隙間を通して前記コルゲケートサック内に収納した蛍光ランプのガラス壁面に直接接触してしまい、その結果、前記蛍光ランプのガラスバルブ壁面にテープ粘着面の糊が付着することになり、このガラスバルブ壁面が汚れて外観的に好ましくないという問題があった。
【０００４】
本発明は、上記問題点を解決するためになされたものであり、収納した蛍光ランプのガラスバルブ壁面が汚れることを抑制した直管形蛍光ランプ用個装ケースおよびこの個装ケースを使用した包装体を提供することを目的とする。
【課題を解決するための手段】
【０００５】
請求項１の直管形蛍光ランプ用個装ケースは、蛍光ランプの全長に見合った帯状の片段ボール紙を順次折曲し、この片段ボール紙の一対の端縁が互いに重ね合うように接着して直方体に形成されていることを特徴としている。
【０００６】
このような蛍光ランプ個装ケースにおいては、片段ボール紙の端縁が互いに重ね合わされる構造になっているため、端縁間に隙間が生じることがなく、テープ等の粘着部が直接ランプバルブ壁面に付着することが無いので、このランプバルブ壁面の汚れを抑制できる。
【０００７】
また、接着部分には、片段ボール紙の波状ボール紙（コルゲート部）が必ず位置することになるので、個装ケースの緩衝作用が低下することもない。
【０００８】
請求項２は、請求項１の個装ケースの重ね合わせ部分の接着に接着剤を使用しているので、接着用のテープ自体を不要にすることができ、包装工程の省力化にも結び付けることができる。
【０００９】
請求項３は、請求項１または２記載の個装ケースに蛍光ランプが収容された包装体を提供するものである。
【発明の効果】
【００１０】
本発明によれば、直管形蛍光ランプ用個装ケースに収納した蛍光ランプにおいて、蛍光ランプの全長に見合った帯状の片段ボール紙を順次折曲し、この片段ボール紙の一対の端縁が互いに重ね合うようにしたので、ランプバルブ壁面の汚れを抑制できる。
【発明を実施するための最良の形態】
【００１１】
以下、本発明の一実施形態を図面を参照して説明する。図１および図２は、本発明の直管形蛍光ランプ用個装ケースの第１の実施の形態を示すものである。図1は、第１の実施の形態の直管形蛍光ランプ用個装ケースを示す斜視図であり、図２は、図１の拡大断面図である。１は、内部に直管形蛍光ランプ２を収納している直管形蛍光ランプ用個装ケースとしてのコルゲートサックである。このコルゲートサック１に蛍光ランプ２を収容することにより、蛍光ランプの包装体が構成されている。
【００１２】
このコルゲートサック１の成形手順について説明する。まず、あらかじめランプ１本分の大きさに合わせた片段ボール紙３を蛍光ランプ２が載置された状態で、蛍光ランプ２の長手方向に沿って等間隔に４ヶ所順次折曲して直方体に形成し、この片段ボール紙３の端縁４ａおよび４ｂを重ね合わせる。このとき波状ボール紙からなるコルゲート部は、内側になるような向きで折曲されている。この重ね合わせ部分にテープ５を全長に渡って貼り付ける。片段ボール紙３の端縁４ａ、４ｂは、コルゲートサック１の中心部付近に位置するように片段ボール紙３の幅寸法および折曲位置を設定する。すなわち、隣接する折曲部から、端縁４ａ、４ｂまでの長さは、コルゲートサック１の一辺より短く、一辺の幅２分の１より長い寸法に設定する。このように形成することで、従来のランプ包装工程を大きく変更することなく、テープ粘着面が蛍光ランプのガラスバルブ壁面に直接接触することが抑制できるという効果がある。また、端縁部分が互いに重なり合うことで、波状のボール紙（コルゲート部）が必ずコルゲートサック１の内面側に位置するようになるので、コルゲートサック１の緩衝作用が損なわれることがないという効果も有する。
【００１３】
図３は、本発明の第２の実施形態による直管形蛍光ランプ用個装ケースの斜視図、図４は、図３の拡大断面図である。この第２の実施形態の各部について、第１の実施の形態の直管形蛍光ランプ用個装ケースの各部と同一部分は同一符号で示し、その説明を省略する。この第２の実施形態は、片段ボール紙３の端縁４ａおよび４ｂの重ね合わせ部分において、下方側の端縁４ｂ部分（主として端縁４ａと重なり合う部分）に接着剤を全体に塗布して、コルゲートサック１自体を貼り付けている点が第１の実施形態と異なる。片段ボール紙３の端縁４ａおよび４ｂの重ね合わせ部分の長さは、テープで固定した場合と同等の接着強度を確保させるために、テープ幅と同等にする。例えば、現行の省電力形４０ワット蛍光ランプのコルゲートサックの場合は、テープ幅の寸法は約２０ミリメートルであるから、前記重ね合わせ部分もこれと同等の寸法に設定する。
【００１４】
また、重ね合わせ部分は、図４のようにコルゲートサック１の中央部に限らず、コルゲートサックの折曲部側に寄せても良い。
【００１５】
このように形成することで、テープ自体が不要となり、ランプ包装工程の省力化につなげることができる効果がある。
【図面の簡単な説明】
【００１６】
【図１】本発明の第１の実施の形態の直管形蛍光ランプ用個装ケースの斜視図。
【図２】図１の拡大断面図。
【図３】本発明の第２の実施の形態の直管形蛍光ランプ用個装ケースの斜視図。
【図４】図３の拡大断面図。
【図５】従来の直管形蛍光ランプ用個装ケースの斜視図。
【図６】図５の拡大断面図。
【符号の説明】
【００１７】
１、１０１  直管蛍光ランプ用個装ケースとしてのコルゲートサック
２、１０２  蛍光ランプ
３、１０３  片段ボール紙
４ａ、４ｂ、１０４ａ、１０４ｂ  端縁
５、１０５  テープ
【図１】
2005022751.tif 000003
【図２】
2005022751.tif 000004
【図３】
2005022751.tif 000005
【図４】
2005022751.tif 000006
【図５】
2005022751.tif 000007
【図６】
2005022751.tif 000008